(57)【要約】【課題】ランプとランプソケットとの装着部分の防水対策を行う場合に、コストと手間とを低減することができる防水型照明装置を提供する。【解決手段】防水型照明装置９は、両端が開口された円筒状のカバー本体１８、このカバー本体１８の一方の開口１９ａ側の内周部に設けられて内方に突出したリング状の２つの内周部突起２０ａ、２０ｂ及びカバー本体１８の一方の開口１９ａ側の端部に設けられて側方に突出したリング状の端部突起２１を有する一対の防水カバー１５と、それぞれのカバー本体１８の他方の開口１９ｂに嵌合されたランプソケット１６と、端部がカバー本体１８の一方の開口１９ａ側から挿入されてその端部がランプソケット１６に装着された円筒状のランプ１７と、を有し、防水カバー１５の内周部突起２０ａ、２０ｂの先端部はランプソケット１６に装着されたランプ１７の端部側外周面に当接されている。【選択図】図２
2017111855.tif 000002
【特許請求の範囲】
【請求項１】
両端が開口された円筒状のカバー本体、このカバー本体の一方の開口側の内周部に設けられて内方に突出したリング状の２つの内周部突起及び前記カバー本体の一方の前記開口側の端部に設けられて側方に突出したリング状の端部突起を有する一対の防水カバーと、
それぞれの前記カバー本体の他方の開口に嵌合されたランプソケットと、
端部が前記カバー本体の一方の前記開口側から挿入されてその端部が前記ランプソケットに装着された円筒状のランプと、
を有する防水型照明装置であって、
前記防水カバーの前記内周部突起の先端部は前記ランプソケットに装着された前記ランプの端部側外周面に当接されていることを特徴とする防水型照明装置。
【請求項２】
２つの前記内周部突起の間の間隔は前記内周部突起の幅寸法より小さく設定されていることを特徴とする請求項１記載の防水型照明装置。
【発明の詳細な説明】
【技術分野】
【０００１】
本発明は、冷凍・冷蔵ショーケース等で使用される防水型照明装置に関する。
【背景技術】
【０００２】
従来、スーパーマーケットやコンビニエンスストア等の店舗では、商品を陳列するために冷凍・冷蔵ショーケースが使用されている。これらの冷凍・冷蔵ショーケースは、商品を陳列する空間である商品陳列室を有し、商品陳列室内には複数段の商品陳列棚が設けられている。そして、各商品陳列棚の手前側下面部には、下側に位置する他の商品陳列棚に陳列された商品を照明するための長尺状のランプを備えた照明装置が設けられている。
【０００３】
このような冷凍・冷蔵ショーケースの商品陳列室内は低温に維持されて結露が生じ易いため、ランプとランプソケットとの装着部分に防水対策を施す必要があり、そのような防水対策を施した照明装置の一例としては、例えば下記特許文献１に記載されたものが知られている。
【先行技術文献】
【特許文献】
【０００４】
【特許文献１】特開２０１３−１２３３９号公報
【発明の概要】
【発明が解決しようとする課題】
【０００５】
しかしながら、特許文献１に記載された照明装置では、ランプとランプソケットとの装着部分の防水対策のために防水カバー、シール材、防水パッキング等の多数の部品を使用しており、部品点数の増加によりコスト高となっている。さらに、取付けに際しては、ランプに防水カバーを取付けた後、このランプをランプソケットに差し込んで装着し、然る後に防水カバーをランプソケット側に移動させるという作業が必要となり、このランプをランプソケットに装着してからその装着部分に防水カバーを移動させて防水を行うという作業は手間が掛かり面倒であった。
【０００６】
本発明は、このような課題を解決するためになされたもので、その目的は、ランプとランプソケットとの装着部分を防水する場合に、コストと手間とを低減することのできる防水型照明装置を提供することである。
【課題を解決するための手段】
【０００７】
本発明に係る防水型照明装置は、両端が開口された円筒状のカバー本体、このカバー本体の一方の開口側の内周部に設けられて内方に突出したリング状の２つの内周部突起及び前記カバー本体の一方の前記開口側の端部に設けられて側方に突出したリング状の端部突起を有する一対の防水カバーと、それぞれの前記カバー本体の他方の開口に嵌合されたランプソケットと、端部が前記カバー本体の一方の前記開口側から挿入されてその端部が前記ランプソケットに装着された円筒状のランプと、を有する防水型照明装置であって、前記防水カバーの前記内周部突起の先端部は前記ランプソケットに装着された前記ランプの端部側外周面に当接されていることを特徴とする。
【０００８】
また、前述の防水型照明装置において、２つの前記内周部突起の間の間隔は前記内周部突起の幅寸法より小さく設定されていることが望ましい。
【発明の効果】
【０００９】
本発明に係る防水型照明装置は、円筒状のランプの端部をカバー本体の一方の開口側から挿入してランプソケットに装着した場合、２つの内周側突起の先端部がランプの端部側外周面に当接して防水性が確保され、ランプとランプソケットとの装着部分を防水することができる。しかも、内周部突起が２つ設けられているため、各内周部突起の先端部とランプの外周面との間でそれぞれ防水性が確保されるので、ランプとランプソケットとの装着部分の防水効果を高めることができる。しかも、ランプをカバー本体に挿入してランプソケットに装着するという作業のみで、ランプとランプソケットとの装着部分を簡単に防水することができる。また、ランプの端部を一方の開口側から挿入した場合、ランプの外周面が内周部突起の先端部に当接すると、カバー本体の一方の開口側には、この部分をカバー本体の内側に引き摺り込む力が作用するが、一方の開口側の端部に端部突起がリング状に設けられているため、この端部突起によりカバー本体の一方の開口側の形状が維持され、ランプをランプソケット側に押し込んでもカバー本体の一方の開口側がカバー本体の内側に引き摺り込まれにくくなり、ランプをランプソケットに装着する作業の作業性を向上させることができる。
【００１０】
また、２つの内周部突起の間の間隔は内周部突起の幅寸法より小さく設定されていることにより、ランプを一方の開口側からカバー本体内に挿入してランプの外周面が手前側の内周部突起の先端部に当接した場合に、その内周部突起が奥側へ倒れ込むことを抑制することができるとともに、その倒れ込みに伴ってカバー本体の一方の開口側がカバー本体の内側へ引き摺り込まれることを抑制することができ、ランプをランプソケットに装着する作業の作業性を向上させることができる。さらに、２つの内周部突起の間の間隔を内周部突起の幅寸法より小さく設定することにより、ランプの外周面と内周部突起の先端部との接触面積を大きくすることができ、内周部突起による防水性を高めることができる。
【図面の簡単な説明】
【００１１】
【図１】本発明の一実施形態の防水型照明装置を備えた冷蔵ショーケースを示す断面側面図である。
【図２】防水型照明装置を拡大して示す断面図である。
【図３】防水型照明装置の一部をさらに拡大して示す断面図である。
【発明を実施するための形態】
【００１２】
本発明の一実施形態について、図面に基づいて説明する。図１は、冷蔵ショーケース１を示す断面側面図であり、この冷蔵ショーケース１は、基台２と基台２の上に載置されたショーケース本体３とを有している。
【００１３】
ショーケース本体３は、断面形状コの字型に形成された断熱材からなる外周壁４と、この外周壁４の内側に位置する仕切板５とを有している。ショーケース本体３の内部には商品陳列室６が設けられ、ショーケース本体３の前面には開口７が設けられている。商品陳列室６内には、販売する商品を陳列する複数段の商品陳列棚８が上下方向に沿って配列され、これらの商品陳列棚８は仕切板５に取付けられている。
【００１４】
各商品陳列棚８の手前側下面部には、下側に位置する他の商品陳列棚８に陳列された商品を照明するための防水型照明装置９が設けられている。
【００１５】
外周壁４と仕切板５との間には、ダクト１０が設けられている。ダクト１０内には、冷気を生成する冷凍装置の一部である冷却器１１と、冷気を送風するファン１２とが設けられている。ダクト１０の上部手前側には、ダクト１０内を矢印で示すように送風された冷気が下向きに吹き出す吹出口１３が設けられ、ダクト１０の下部手前側には吹出口１３から吹き出した冷気が吸い込まれる吸込口１４が設けられている。
【００１６】
防水型照明装置９は図２に示すように、シリコン製の一対の防水カバー１５と、それぞれの防水カバー１５に嵌合されるランプソケット１６と、端部をランプソケット１６に装着される円筒状のランプ１７とを備えている。この防水型照明装置９は、ランプ１７の外周に図示しない一対のランプホルダを嵌合させ、そのランプホルダを商品陳列棚８の下面に取付けることにより支持されている。
【００１７】
防水カバー１５は、両端が開口された円筒状のカバー本体１８と、このカバー本体１８の一方の開口１９ａ側の内周部に設けられて内方に突出したリング状の２つの内周部突起２０ａ、２０ｂと、カバー本体１８の一方の開口１９ａ側の端部に設けられて側方（カバー本体１８の筒方向）に突出したリング状の端部突起２１とを有している。
【００１８】
ランプソケット１６は、カバー本体１８の他方の開口１９ｂに嵌合されており、その嵌合部分は気密状態とされている。
【００１９】
ランプ１７は、カバー本体１８の一方の開口１９ａ側から挿入され、端部がランプソケット１６に装着されている。ランプソケット１６に装着されたランプ１７の端部側外周面には、内周部突起２０ａ、２０ｂの先端部が当接されている。ランプ１７の外周面と内周部突起２０ａ、２０ｂの先端部との当接部分は気密状態とされている。
【００２０】
図３に示すように、２つの内周部突起２０ａ、２０ｂの間の間隔“ａ”は、内周部突起２０ａ、２０ｂの幅寸法“ｂ”より小さく設定されている。ａ：ｂの比率は、例えば１：２に設定されている。
【００２１】
このような構成において、冷蔵ショーケース１の商品陳列室６内は低温に維持されて商品陳列棚８やランプ１７は冷やされており、商品陳列棚８やランプ１７の表面には結露が生じ易い。生じた結露水の一部は、ランプ１７の表面を伝わってランプソケット１６側に流れる。
【００２２】
ここで、一方の開口１９ａ側からカバー本体１８内に挿入されたランプ１７の端部側外周面には、２つの内周部突起２０ａ、２０ｂの先端部が当接され、その当接部分は気密状態となっている。このため、ランプ１７の表面を伝わって流れた結露水が内周部突起２０ａ、２０ｂの先端部が当接した箇所を通過してそれ以上ランプソケット１６側に流入することが阻止され、ランプ１７とランプソケット１６との装着部分の防水性が確保され、水濡れによる漏電等の故障が防止されている。しかも、この防水のための内周部突起２０ａ、２０ｂが一重ではなく二重に設けられているため、防水性が高められている。
【００２３】
しかも、内周部突起２０ａ、２０ｂによるランプ１７とランプソケット１６との装着部分の防水は、ランプ１７をカバー本体１８に挿入してランプソケット１６に装着するという作業のみで、簡単に行うことができる。
【００２４】
また、ランプ１７を一方の開口１９ａ側から挿入した場合、ランプ１７の外周面が内周部突起２０ａ、２０ｂの先端部に当接すると、カバー本体１８の一方の開口１９ａ側には、この部分をカバー本体１８の内側に引き摺り込む力が作用する。しかし、一方の開口１９ａ側の端部に端部突起２１がリング状に設けられているため、この端部突起２１によりカバー本体１８の一方の開口１９ａ側の形状が維持され、カバー本体１８の一方の開口１９ａ側がカバー本体１８の内側に引き摺り込まれにくくなる。これにより、ランプ１７をランプソケット１６に装着する作業の作業性を向上させることができる。
【００２５】
２つの内周部突起２０ａ、２０ｂの間の間隔“ａ”は、内周部突起２０ａ、２０ｂの幅寸法“ｂ”より小さく設定されている。これにより、ランプ１７を一方の開口１９ａ側からカバー本体１８内に挿入してランプ１７の外周面が手前側の内周部突起２０ａの先端部に当接した場合において、その内周部突起２０ａが奥側（内周部突起２０ｂ側）へ倒れ込むことを抑制することができるとともに、その倒れ込みに伴ってカバー本体１８の一方の開口１９ａ側がカバー本体１８の内側に引き摺り込まれることを抑制することができる。これにより、ランプ１７をランプソケット１６に装着する作業の作業性を向上させることができる。
【００２６】
さらに、２つの内周部突起２０ａ、２０ｂの間の間隔“ａ”を内周部突起２０ａ、２０ｂの幅寸法“ｂ”より小さく設定することにより、ランプ１７の外周面と内周部突起２０ａ、２０ｂの先端部との接触面積を大きくすることができ、内周部突起２０ａ、２０ｂによる防水性を高めることができる。
【００２７】
本実施の形態では、防水型照明装置９を使用するショーケースの一例として冷蔵ショーケース１について説明したが、冷凍ショーケースにおいても同様に防水型照明装置９を使用することができる。
【符号の説明】
【００２８】
１    冷蔵ショーケース
２    基台
３    ショーケース本体
４    外周壁
５    仕切板
６    商品陳列室
７    開口
８    商品陳列棚
９    防水型照明装置
１０    ダクト
１１    冷却器
１２    ファン
１３    吹出口
１４    吸込口
１５    防水カバー
１６    ランプソケット
１７    ランプ
１８    カバー本体
１９ａ  一方の開口
１９ｂ  他方の開口
２０ａ、２０ｂ  内周部突起
２１    端部突起
【図１】
2017111855.tif 000003
【図２】
2017111855.tif 000004
【図３】
2017111855.tif 000005